(57)【要約】【課題】　運転中に誰にでも容易に、且つ、明瞭にこれから走ろうとする道路に関する積極的な案内を行なう。【解決手段】　道路情報及び複数の道路が交差する交差点の位置、形態を含む交差点情報を記録したCD-ROMを駆動するCD-ROMドライバ15、複数の交差点形態に応じた交差点イメージを記憶した交差点メモリ16、ドライブコースを入力する為の各種操作キーを設けた操作部14、現在値及び現在の進行方向を検出するＧＰＳアンテナ11及びＧＰＳレシーバ12、ＧＰＳレシーバ12の検出結果と上記操作部14で入力したドライブコースの情報によりCD-ROMドライバ15のCD-ROMを検索し、次に曲がる交差点迄の距離及び該交差点の形態を得、得た交差点形態に対応した交差点イメージを交差点メモリ16から読出し、曲がる方向を示すシンボル及び該交差点迄の距離情報と共に液晶表示パネル18に表示させる表示制御部13とを備える。【選択図】　　図１
2004101534.tif 000002
【特許請求の範囲】
【請求項１】
　道路情報及び複数の道路が交差する交差点の少なくとも位置、形態を含む交差点情報を予め記憶した地図記憶手段と、複数の交差点形態に応じた簡略化した交差点イメージを記憶する交差点記憶手段と、ドライブコースを入力する入力手段と、現在値及び現在の進行方向を検出する検出手段と、この検出手段の検出結果と上記入力手段で入力したドライブコースの情報に従って上記地図記憶手段を検索し、次に曲がるべき交差点までの距離及びその交差点の形態を得る検索手段と、この検索手段で得た次に曲がるべき交差点の形態に対応した交差点イメージを上記交差点記憶手段から読出し、曲がるべき方向を示すシンボル及び該交差点までの距離情報と共に表示する表示手段とを具備したことを特徴とするナビゲーション表示装置。
【請求項２】
　道路情報を予め記憶した地図記憶手段と、ドライブコースを入力する入力手段と、現在値及び現在の進行方向を検出する検出手段と、この検出手段の検出結果と上記入力手段で入力したドライブコースの情報に従って上記地図記憶手段を検索し、全行程中における現時点での進行状況を表示する表示手段とを具備したことを特徴とするナビゲーション表示装置。
【請求項３】
　自車の走行方向及び走行距離を検知する検知手段と、１回目のドライブコース走行時にスタート地点、ゴール地点及びこのスタート地点とゴール地点間の曲がるべき各交差点位置を入力する入力手段と、上記入力手段の入力タイミングと上記検知手段の検知結果によりドライブコースの各区間距離及び上記各交差点位置での曲がるべき方向を記憶する記憶手段と、２回目以降の上記ドライブコースの正方向あるいは逆方向の走行時に上記記憶手段に記憶される内容と該走行方向及び上記検知手段の検知結果に従って少なくとも次に曲がるべき交差点位置までの距離及び曲がるべき方向を示すシンボルを表示する表示手段とを具備したことを特徴とするナビゲーション表示装置。
【発明の詳細な説明】
【技術分野】
【０００１】
　本発明は、自動車に搭載し、事前に入力したドライブコースに従ってナビゲーション表示を行なうナビゲーション表示装置に関する。
【背景技術】
【０００２】
　近時、ＧＰＳ（Ｇｌｏｂａｌ Ｐｏｓｉｔｉｏｎｉｎｇ Ｓｙｓｔｅｍ）を搭載し、ＣＤ−ＲＯＭをデータ記録媒体に使った電子的な地図上に、上記ＧＰＳで検出した自車位置を示して液晶表示パネル等の表示画面上に表示させるカーナビゲーションシステムが多く商品化されている。この種のシステムでは、自車の走行に対応して地図上での自車表示位置が変化することにより、現在自車がどの位置にいて、どの方向に向かっているのかが理解できるものである。
【発明の開示】
【発明が解決しようとする課題】
【０００３】
　しかしながら上記のようなナビゲーションシステムは、いずれもただ単に地図上での自車位置をリアルタイムで表示するだけである。そのため、それまで走ってきた道路の確認を行なうことはできても、これから走ろうとする道路に関する積極的な案内、例えば実際に次に曲がるべき交差点までの距離や曲がる方向等を知ることはできなかった。したがって、運転者は、その時点での自車位置及び走行方向と目的地とを地図上で確認し、次にどの交差点でどの方向に曲がらなければならないかを自分で判断しなければならず、特に運転中に一瞬でこれを判断することは熟達を要し、誰にでも容易に使用可能なものであるとはいい難かった。
【０００４】
　本発明は上記のような実情に鑑みてなされたもので、その目的とするところは、運転中に誰にでも容易に、且つ、明瞭にこれから走ろうとする道路に関する積極的な案内を行なうことが可能なナビゲーション表示装置を提供することにある。
【課題を解決するための手段】
【０００５】
　すなわち本発明は、道路情報及び複数の道路が交差する交差点の少なくとも位置、形態を含む交差点情報を例えばＣＤ−ＲＯＭ等の記録媒体に記憶した地図記憶部と、複数の交差点形態に応じた簡略化した交差点イメージを記憶する交差点記憶部と、ドライブコースを入力する入力部と、現在値及び現在の進行方向を検出する例えばＧＰＳによる検出部と、この検出部の検出結果と上記入力部で入力したドライブコースの情報に従って上記地図記憶部を検索し、次に曲がるべき交差点までの距離及びその交差点の形態を得る検索部と、この検索部で得た次に曲がるべき交差点の形態に対応した交差点イメージを上記交差点記憶部から読出し、曲がるべき方向を示すシンボル及び該交差点までの距離情報と共に表示する表示部とを備えるようにしたものである。
【０００６】
　上記のような構成によれば、具体的にこれからどの程度の距離にあるどのような形態の交差点をどの方向に曲がればよいかを一目で知ることができるため、運転者の熟達に関わらず、簡単且つ明瞭にこれから走ろうとする道路に関する積極的な案内を行なうことができる。
【発明の効果】
【０００７】
　以上に述べた如く本発明によれば、具体的にこれからどの程度の距離にあるどのような形態の交差点をどの方向に曲がればよいかを一目で知ることができるため、運転者の熟達に関わらず、運転中に誰にでも容易に、且つ、明瞭にこれから走ろうとする道路に関する積極的な案内を行なうことが可能なナビゲーション表示装置を提供することができる。
【発明を実施するための最良の形態】
【０００８】
［第１実施例］
　下本発明の第１実施例について図面を参照して説明する。図１はその基本回路構成を示すもので、11は車体上部、例えばルーフ上に設置されたＧＰＳアンテナである。このＧＰＳアンテナ11で受信された複数のＧＰＳ衛星からの電波はＧＰＳレシーバ12へ送られる。
【０００９】
　このＧＰＳレシーバ12は、操作部14からのキー操作に対応したモードでの表示データを作成するもので、ＧＰＳアンテナ11で受信した電波から現在地の緯度及び経度の各位置情報を算出し、算出した位置情報を表示制御部13へ送出する。
【００１０】
　表示制御部13は、ＧＰＳレシーバ12から送られてきた現在地の位置情報によりＣＤ−ＲＯＭドライバ15にセットされたＣＤ−ＲＯＭ（図示せず）に記憶されている地図データを検索すると共に、予め操作部14でのキー操作によりドライブコースメモリ17に記憶設定されたドライブコース情報を参照し、現在地が予め設定したドライブコースから外れていないか否か、そして外れていないとすればドライブコース上での次に曲がるべき交差点の情報をＣＤ−ＲＯＭドライバ15から読出す。この場合、交差点の情報としては、少なくともその交差点の形態を示す情報を含む。
【００１１】
　表示制御部13は読出した交差点の形態情報を基に、予め多数の形態の交差点のイメージデータが記憶されている交差点イメージメモリ16から、対応する交差点のイメージデータを読出し、表示部としての液晶表示パネル18へ送出する一方、現在地から上記次に曲がるべき交差点までの距離を算出してその距離情報及び曲がるべき方向を示すシンボルを表示データ化しての液晶表示パネル18へ送出する。
【００１２】
　液晶表示パネル18では、表示制御部13から送られてくる各表示データを画面に表示することで運転者に対する簡単かつ明瞭なナビゲーションを実行する。上記のような構成にあって、交差点イメージメモリ16はＲＯＭで構成されるもので、例えば３差路２１種、４差路３５種、５差路３５種、６差路２１種、立体交差８種、ロータリー４種等、多数の交差点の形態を簡略化したイメージデータを予め記憶してあるものとする。また、ＣＤ−ＲＯＭドライバ15にセットされるＣＤ−ＲＯＭ（図示せず）には、地図データとして、都道府県及び市区町村各特定領域の地名、道路情報、各道路の名称、複数の道路が交差する交差点の形態、その交差点の名称等が記録されている。
【００１３】
　しかるに、予め所望する領域の地図を液晶表示パネル18に表示させた状態で操作部14のキー操作によりカーソル等を移動させ、ドライブコースをそのスタート地点からゴール地点に至るまで、曲がるべき交差点位置を順次ポイント指定することでドライブコース情報としてドライブコースメモリ17に記憶設定させておく。
【００１４】
　その後、実際にドライブを開始し、車両の走行により現在値の緯度及び経度からなる位置情報が順次リアルタイムでＧＰＳレシーバ12から表示制御部13へ入力されることとなる。表示制御部13は、ＧＰＳレシーバ12からの現在地の位置情報によりＣＤ−ＲＯＭドライバ15にセットされたＣＤ−ＲＯＭに記憶されている地図データを検索すると共に、ドライブコースメモリ17に記憶設定されたドライブコース情報を参照し、現在地が予め設定したドライブコースから外れていないか否かを判断する。外れている場合には、その旨を示すメッセージの表示データを液晶表示パネル18へ送出して表示させ、運転者に注意を促す。
【００１５】
　また、現在地が予め設定したドライブコースから外れていない場合、表示制御部13はドライブコースメモリ17に記憶されるドライブコース情報を参照し、ドライブコース上での次に曲がるべき交差点の情報をＣＤ−ＲＯＭドライバ15から読出す。この場合、読出す交差点の情報としては、その交差点の形態、交差する各道路の名称、その交差点の名称等がある。
【００１６】
　これらの情報を読出すと表示制御部13は、交差点の形態情報により交差点イメージメモリ16から対応するイメージデータを読出し、これに曲がるべき方向を示すシンボルを付加する一方、現在値から上記交差点までの距離を例えば０．０５ｋｍ（＝５０ｍ）単位で算出し、上記読出した他の情報と共に表示データを作成して液晶表示パネル18で表示出力させる。
【００１７】
　図２はこうして表示された液晶表示パネル18の画面を例示するものである。同図で、ａは次に曲がるべき交差点の形態を示すイメージ、ｂはその交差点で曲がるべき方向を示すシンボル、ｃ1 ，ｃ2 はそれぞれ交差する各道路の名称、ｄは現在自車が走行している道路を示すシンボル、ｅは現在値から交差点までの距離、ｆは交差点の名称（名称がある場合のみ）、ｇは設定したドライブコース内における曲るべき交差点（＝ポイント：Ｐ）の番号を、それぞれ示す。
【００１８】
　交差点イメージａは、現在自車が走行している道路を示すシンボルｄが必ず画面の下側になるように表示制御される。曲がるべき方向を示すシンボルｂは、曲った先の道路が例えば有料道路であれば青、国道であれば赤、主要幹線道であれば緑、都道府県道であれば黄、一般道路であれば白というように、道路の種類によって色分けして表示すると、より一層わかりやすい。さらに、交差点の手前、例えば４００ｍ程度の地点に到達した時点で該シンボルｂを点滅表示させることにより注意を促し、曲るべき交差点が近付いていることを報知することができる。この色分けは、上記現在自車が走行している道路を示すシンボルｄにもそのまま適用可能である。
【００１９】
　現在値から交差点までの距離ｅは、上述した如く０．０５ｋｍ単位で算出されるもので、当然のことながら自車の走行移動に連動して減算表示されることとなる。
【００２０】
　上記曲るべき交差点の番号ｇは、例えば往路における曲るべき各交差点位置を数値１から順番に数えて「Ｐ１」「Ｐ２」というように表示するもので、復路には復路であることを示す旨の文字キャラクタと共に表示させるようにしてもよい。
【００２１】
　上記図２に示したような画面は、スタート地点からゴール地点の手前の交差点に至るまでの間、交差点までの距離が０になる毎に自動または手動にて順次切換えられる。
【００２２】
　さらに、ゴール地点の手前の交差点を曲がってからゴール地点に至るまでの間は、図３に示すようにゴール地点までの距離ｈとゴール地点の名称ｉのみを表示させるようにしてもよい。
【００２３】
　また、図２に示した表示画面とは別に、図４に示すようにドライブコース全行程における進行状況を示すような表示画面に切換えられるようにしてもよい。この場合、画面の切換えは操作部14の特定キーの操作により行なう。該特定キーが操作されると表示制御部13は、ドライブコースメモリ17に記憶されるドライブコース情報をすべて読出し、このドライブコース情報に従ってスタート地点から各交差点を介してゴール地点に至るまでの各区間距離をＣＤ−ＲＯＭドライバ15にセットされたＣＤ−ＲＯＭの地図データから例えば０．１ｋｍ単位で算出すると共に、ＧＰＳレシーバ12からの現在値の位置情報により図４に示すような進行状況をグラフ化して表示するようにしてもよい。同図で、ｅは現在値から次に曲がるべき交差点までの距離、ｆは交差点の名称（名称がある場合のみ）、ｊはドライブコース全体を示すグラフ、ｋはこのグラフｊ中における曲るべき交差点（＝ポイント：Ｐ）番号、ｌは例えば各区間毎に３個の矩形により通過／未通過を示す通過シンボル、ｍは各区間距離を示す。
【００２４】
　通過シンボルｌは、通過前には緑、通過後は赤というように自車の通過状況に対応して色を変化させる。なお、上記図４に示したようにドライブコース全行程における進行状況を示す画面を表示させている場合でも、実際に次に曲がるべき交差点までの距離がある一定値、例えば４００ｍ以内となった場合には、自動的に上記図２あるいは図３に示した画面に切換えるようにすれば、曲がるべき交差点を誤って通り越してしまうといった事態を防止することができる。
【００２５】
　なお、上記実施例では地図データを記録する記録媒体としてＣＤ−ＲＯＭを用い、これをＣＤ−ＲＯＭドライバ15にセットして使用するものとして説明したが、該記録媒体としてはこれに限ることなく、例えばメモリカード等を用いてもよいことは勿論である。
【００２６】
　以上に示した如く本発明の第１実施例によれば、予めドライブコース情報を入力しておくことで、ナビゲーション時に具体的にこれからどの程度の距離にあるどのような形態の交差点をどの方向に曲がればよいかを一目で知ることができるため、運転者の熟達に関わらず、簡単且つ明瞭にこれから走ろうとする道路に関する積極的な案内を行なうことができる。
【００２７】
［第２実施例］
　次に、往路に走行するドライブコースを記憶、学習して復路の走行時にナビゲーションを行なう、あるいは１回目に走行するドライブコースを記憶、学習して当該コースの２回目以降の走行時にナビゲーションを行なう、簡易なナビゲーション表示装置を本発明の第２実施例として図面を参照して説明する。
【００２８】
　図５はその基本回路構成を示すもので、21は車体に取付けられ、この車体の進行方向を検知する方位センサ、22は同じく車体に取付けられ、この車体の走行距離を検知する距離センサである。これらセンサ21，22の各検知信号は表示制御部23へ送られる。
【００２９】
　この表示制御部23は、他の各回路の動作制御を行ない、ナビゲーションの表示データを作成するためのもので、操作部24でのキー操作に対応した操作信号を受付け、またコースメモリ25及び表示メモリ26に対してデータの書込み／読出しを行なうことで上記表示データを作成し、作成した表示データを液晶表示パネル27へ送出して表示を実行させる。
【００３０】
　操作部24は、数値キー、スタートキー、ゴールキー、ポイント（交差点）キー等の操作キーを備え、コース学習時及びナビゲーション実行時に適宜キー操作を行なうためのものである。
【００３１】
　コースメモリ25は、コース学習時にドライブコース情報を記憶設定するためのものであり、電源非供給時にも記憶内容を消去しないようにＥＥＰＲＯＭ（電気的書換え可能なプログラマブルＲＯＭ）で構成される。
【００３２】
　表示メモリ26は、表示データをビットマップ状に展開記憶するビデオＲＡＭ及び表示すべき文字、数字等のキャラクタのフォントデータを記憶するＲＯＭ等から構成される。
【００３３】
　しかるに表示制御部23は、表示メモリ26に展開記憶させた表示データを液晶表示パネル27へ送出し、表示出力させる。上記のような構成にあって、図６は往路におけるドライブコース走行途中での液晶表示パネル27の表示画面を例示するものである。操作部24のスタートキーを操作して往路のドライブコースの走行を開始すると、距離センサ22が検知する距離情報により、スタート地点から第１の交差点（Ｐ１）までの走行距離情報を初期値「０」より例えば０．０５ｋｍ（＝５０ｍ）単位で順次カウントアップしていく。その後、曲がるべき交差点Ｐ１で手動で操作部24のポイントキーを操作し、あるいはウィンカーの操作等と連動して自動で該ポイントキーのキー操作信号を発生すると、その時点での走行距離情報、例えば「２．１（ｋｍ）」をスタート地点から交差点Ｐ１までの区間距離としてコースメモリ25に記憶させると共に、この交差点Ｐ１で曲がった方向を方位センサ21により検知し、その方向情報をコースメモリ25に記憶させる。
【００３４】
　次いで、今度は交差点Ｐ１から次に曲がるべき第２の交差点Ｐ２までの走行距離情報を再び初期値「０」より順次カウントアップし、曲がるべき交差点で手動で操作部24のポイントキーを操作し、あるいはウィンカーの操作等と連動して自動で該ポイントキーのキー操作信号を発生すると、その時点での走行距離情報、例えば「３．５（ｋｍ）」を交差点Ｐ１から交差点Ｐ２までの区間距離としてコースメモリ25に記憶させると共に、この交差点Ｐ２で曲がった方向を方位センサ21により検知し、その方向情報をコースメモリ25に記憶させる。
【００３５】
　以後同様にして、曲がるべき交差点を通過する毎にコースメモリ25への記憶設定が続行され、操作部24のゴールキーが操作された時点で往路のドライブコース情報の記憶設定が終了される。
【００３６】
　こうして往路でドライブコース情報の記憶設定を終えた後、例えば帰路に記憶させたドライブコース情報に従ってナビゲーション表示を実行させる場合の表示画面は図７に示すようになる。同図で、ｎは現在値から次に曲がるべき交差点までの距離、ｏはその交差点で曲がるべき方向を示すシンボル、ｐは交差点の番号、ｑは各区間距離、ｒは例えば各区間毎に３個の矩形により通過／未通過を示す通過シンボル、ｓは復路を示す文字キャラクタ、ｔは一方通行区間を示すシンボルである。
【００３７】
　このナビゲーション画面の場合、帰路であるので往路のゴール地点からスタート地点に至るまでコースを逆に辿ることとなり、したがって各交差点での曲がるべき方向は往路と逆を示すこととなる。
【００３８】
　また、図中にｔで示すように、一方通行、立体交差、ロータリー等、往路データと違う道を走行しなければならない区間、あるいは道を間違えてしまった区間では、交差点探しモードの表示画面に自動的に移行する。
【００３９】
　図８はこの交差点探しモードの表示画面を例示するもので、ここでは一方通行によりこの表示画面に移行した場合を示す。同図で、ｖが現在自車が進行している方向を示すシンボル、ｗが一方通行道路通過後の交差点位置を３か所以上示す文字キャラクタ、ｕは一方通行道路通過後の３か所以上の交差点までの直線距離、ｘは一方通行区間、ｙは一方通行の標識を示すキャラクタである。ｕに示す交差点のいずれかに達した時点でこの交差点探しモードは解除され、上記図７に示したナビゲーション画面に戻る。
【００４０】
　また、道を間違えてしまった場合には上記図８の一方通行の標識を示すキャラクタｙ等は表示されず、やはりｕに示す交差点のいずれかに達した時点でこの交差点探しモードは解除され、上記図７に示したナビゲーション画面に戻る。
【００４１】
　このように交差点探しモードでの画面を表示している間、走行距離、曲がった方向、進行した方位等を順次記憶し、次回の復路ナビゲーションのための記憶データとする。
【００４２】
　以上に示した如く本発明の第２実施例によれば、往路のドライブコース走行時にドライブコース情報を入力することで、復路あるいは次回のナビゲーションを実行させることができるため、ＧＰＳアンテナ及びＧＰＳレシーバ等の高価な絶対位置検出のための機器を必要とせずに、次に曲がるべき交差点までの距離及び曲がるべき方向を一目で知ることができ、運転者の熟達に関わらず、簡単且つ明瞭にこれから走ろうとする道路に関する積極的な案内を行なうことができる。
【図面の簡単な説明】
【００４３】
【図１】本発明の第１実施例に係る基本回路構成を示すブロック図。
【図２】同実施例に係る表示画面を例示する図。
【図３】同実施例に係る表示画面を例示する図。
【図４】同実施例に係る表示画面を例示する図。
【図５】本発明の第２実施例に係る基本回路構成を示すブロック図。
【図６】同実施例に係る表示画面を例示する図。
【図７】同実施例に係る表示画面を例示する図。
【図８】同実施例に係る表示画面を例示する図。
【符号の説明】
【００４４】
　11…ＧＰＳアンテナ、12…ＧＰＳレシーバ、13，23…表示制御部、14，24…操作部、15…ＣＤ−ＲＯＭドライバ、16…交差点イメージメモリ、17…ドライブコースメモリ、18，27…液晶表示パネル、21…方位センサ、22…距離センサ、25…コースメモリ、26…表示メモリ。
【図１】
2004101534.tif 000003
【図２】
2004101534.tif 000004
【図３】
2004101534.tif 000005
【図４】
2004101534.tif 000006
【図５】
2004101534.tif 000007
【図６】
2004101534.tif 000008
【図７】
2004101534.tif 000009
【図８】
2004101534.tif 000010
【手続補正書】
【提出日】平成15年10月20日(2003.10.20)
【手続補正１】
【補正対象書類名】特許請求の範囲
【補正対象項目名】全文
【補正方法】変更
【補正の内容】
【特許請求の範囲】
【請求項１】
　自己の走行軌跡を記憶する走行軌跡記憶手段と、
　この走行軌跡記憶手段に記憶されている走行軌跡を用いて上記走行軌跡記憶手段に走行軌跡を記憶した際の走行経路を逆に辿る経路を設定する帰路設定手段と、
　上記走行軌跡記憶手段に走行軌跡を記憶した際の走行経路を逆に辿ることが不可能な区間が経路上に存在する場合に、その旨を報知する報知手段と
を具備したことを特徴とするナビゲーション表示装置。
【請求項２】
　上記報知手段は、経路上において走行が不可能な区間を他の区間と識別可能に表示する手段を含むことを特徴とする請求項１記載のナビゲーション表示装置。
【請求項３】
　上記報知手段は、経路上に走行が不可能な区間として一方通行、立体交差、又はロータリーが存在することにより往路と違う道を走行しなければならない場合に、その旨を報知することを特徴とする請求項１又は２記載のナビゲーション表示装置。
【請求項４】
　現在地を検出する検出手段と、
　この検出手段の検出結果及び上記経路設定手段に設定されている経路に基づき、次に曲がるべき交差点の交差点イメージを表示する表示手段と
を具備したことを特徴とする請求項１乃至３いずれかに記載のナビゲーション表示装置。
【手続補正２】
【補正対象書類名】明細書
【補正対象項目名】０００５
【補正方法】変更
【補正の内容】
【０００５】
　すなわち本発明は、自己の走行軌跡を記憶する走行軌跡記憶手段と、この走行軌跡記憶手段に記憶されている走行軌跡を用いて上記走行軌跡記憶手段に走行軌跡を記憶した際の走行経路を逆に辿る経路を設定する帰路設定手段と、上記走行軌跡記憶手段に走行軌跡を記憶した際の走行経路を逆に辿ることが不可能な区間が経路上に存在する場合に、その旨を報知する報知手段とを具備するようにしたものである。
　また、上記報知手段は、経路上において走行が不可能な区間を他の区間と識別可能に表示する手段を含むようにしてもよい。
　また、上記報知手段は、経路上に走行が不可能な区間として一方通行、立体交差、又はロータリーが存在することにより往路と違う道を走行しなければならない場合に、その旨を報知するようにしてもよい。
　また、現在地を検出する検出手段と、この検出手段の検出結果及び上記経路設定手段に設定されている経路に基づき、次に曲がるべき交差点の交差点イメージを表示する表示手段とを具備するようにしてもよい。
【手続補正３】
【補正対象書類名】明細書
【補正対象項目名】０００６
【補正方法】変更
【補正の内容】
【０００６】
　上記のような構成によれば、簡単且つ明瞭にこれから走ろうとする道路に関する積極的な案内を行なうことができる。
【手続補正４】
【補正対象書類名】明細書
【補正対象項目名】０００７
【補正方法】変更
【補正の内容】
【０００７】
　以上に述べた如く本発明によれば、運転中に誰にでも容易に、且つ、明瞭にこれから走ろうとする道路に関する積極的な案内を行なうことが可能なナビゲーション表示装置を提供することができる。